(57)【要約】【課題】  電気機器を追加的に導入することによって必要となる受電設備の改修を検討する。【解決手段】  本発明では、導入計画電気機器のデータの入力を受け付ける工程と、既設受電設備の電気的仕様に関するデータ及び周辺からの離隔距離等の受電設備構成データの入力を受け付ける工程と、既設受電設備における低圧動力盤の更新を第1の対応策とした場合に、必要となる低圧動力盤に関する電気的仕様に対応する物理的な制限を満たすか判断する工程と、既設受電設備に対する低圧動力盤の増設を第2の対応策とした場合、増設低圧動力盤の電気的仕様に対応する物理的な制限を満たすか判断する工程と、既設受電設備とは別に低圧動力盤を導入し且つ既設受電設備に高圧分岐盤を設置することを第3の対応策とした場合、高圧分岐盤の導入が物理的な制限を満たすか判断する工程と、第1乃至第3の対応策の各々について実施可否等をユーザに提示する工程とを含む。【選択図】  図１
2006268491.tif 000002
【特許請求の範囲】
【請求項１】
導入を計画している電気機器に関するデータの入力を受け付け、導入機器データ格納部に格納するステップと、
既設の受電設備の電気的仕様に関するデータ及び盤の有無と周辺からの離隔距離とを含む受電設備構成データの入力を受け付け、既設受電設備データ格納部に格納するステップと、
前記既設の受電設備における低圧動力盤の更新を第１の対応策とした場合において、前記導入機器データ格納部及び前記既設受電設備データ格納部に格納されたデータに基づき必要となる低圧動力盤の電気的仕様を特定し、前記既設受電設備データ格納部に格納されたデータを用いて当該必要となる低圧動力盤に関する電気的仕様に対応する物理的な制限を満たすか判断するステップと、
前記既設の受電設備に対する低圧動力盤の増設を第２の対応策とした場合において、前記導入機器データ格納部に格納されたデータに基づき必要となる増設低圧動力盤の電気的仕様を特定し、前記既設受電設備データ格納部に格納されたデータを用いて当該増設低圧動力盤の電気的仕様に対応する物理的な制限を満たすか判断するステップと、
前記既設の受電設備とは別に低圧動力盤を導入し且つ既設の受電設備に高圧分岐盤を設置することを第３の対応策とした場合において、前記既設受電設備データ格納部に格納されたデータを用いて前記高圧分岐盤の導入が物理的な制限を満たすか判断するステップと、
前記第１乃至第３の対応策のそれぞれについて、その実施可否及び判断の基礎として用いたデータをユーザに提示するステップと、
をコンピュータに実行させるための電気機器導入検討プログラム。
【請求項２】
前記受電設備構成データが、増設盤の搬入経路が確保されているか否かについてのデータを含む請求項１記載の電気機器導入検討プログラム。
【請求項３】
前記必要となる低圧動力盤の電気的仕様を特定する際に、前記低圧動力盤に含まれる変圧器の需要率のデータの入力を促し、当該変圧器の需要率のデータを用いて前記必要となる低圧動力盤の電気的仕様を特定する
請求項１記載の電気機器導入検討プログラム。
【請求項４】
費用データ格納部を参照して、前記第１乃至第３の対応策のうち実施可能な対応策について想定される費用を算出し、ユーザに提示するステップ
をさらにコンピュータに実行させるための請求項１記載の電気機器導入検討プログラム。
【発明の詳細な説明】
【技術分野】
【０００１】
本発明は、電気機器導入により必要となる受電設備の改修を検討するための技術に関する。
【背景技術】
【０００２】
例えば特開平６−９６１４８号公報には、熟練者でなくとも、電気系統図管理設計業務が迅速に行え、且つ品質向上が図れる電気系統図管理設計支援装置が開示されている。具体的には、電気系統図の図面情報と、電気設備の管理設計演算に必要な管理設計情報とを一つのデータベースとして統合し、コンピュータと会話形式にて管理設計業務を支援する第１手段と、熟練設計者が保有している経験値や実績値等に基づくノウハウをデータベースとして有し、前記管理設計業務の支援に不可欠な推奨案や代案を出力する第２手段を備えたものである。
【特許文献１】特開平６−９６１４８号公報
【発明の開示】
【発明が解決しようとする課題】
【０００３】
上で述べたような技術は、熟練者のノウハウを登録することによって電気系統の設計を行うことを目的としており、空調機器などの電気機器などを追加的に導入する際に問題となる事項を取り扱うことができない。すなわち、受電設備の入れ替えを行えば済むのか、盤の追加設置が可能なのか、それとも別の場所に受電設備を設置しなければならないのか、といった判断を行うことはできない。
【０００４】
従って、本発明の目的は、電気機器を追加的に導入することによって必要となる受電設備の改修についてより簡単に検討することができるようにするための技術を提供することである。
【課題を解決するための手段】
【０００５】
本発明に係る電気機器導入検討方法は、導入を計画している電気機器に関するデータの入力を受け付け、導入機器データ格納部に格納するステップと、既設の受電設備の電気的仕様に関するデータ及び盤の有無と周辺からの離隔距離とを含む受電設備構成データの入力を受け付け、既設受電設備データ格納部に格納するステップと、既設の受電設備における低圧動力盤の更新を第１の対応策とした場合において、導入機器データ格納部及び既設受電設備データ格納部に格納されたデータに基づき必要となる低圧動力盤の電気的仕様を特定し、既設受電設備データ格納部に格納されたデータを用いて当該必要となる低圧動力盤に関する電気的仕様に対応する物理的な制限を満たすか判断するステップと、既設の受電設備に対する低圧動力盤の増設を第２の対応策とした場合において、導入機器データ格納部に格納されたデータに基づき必要となる増設低圧動力盤の電気的仕様を特定し、既設受電設備データ格納部に格納されたデータを用いて当該増設低圧動力盤の電気的仕様に対応する物理的な制限を満たすか判断するステップと、既設の受電設備とは別に低圧動力盤を導入し且つ既設の受電設備に高圧分岐盤を設置することを第３の対応策とした場合において、既設受電設備データ格納部に格納されたデータを用いて高圧分岐盤の導入が物理的な制限を満たすか判断するステップと、第１乃至第３の対応策のそれぞれについて、その実施可否及び判断の基礎として用いたデータをユーザに提示するステップとを含む。
【０００６】
このように３つの対応策について実施の可否などをユーザに提示することができるため、ユーザは容易に電気機器導入の是非などを判断することができるようになる。
【０００７】
また、受電設備構成データが、増設盤の搬入経路が確保されているか否かについてのデータを含むようにしてもよい。
【０００８】
さらに、必要となる低圧動力盤の電気的仕様を特定する際に、低圧動力盤に含まれる変圧器の需要率のデータの入力を促し、当該変圧器の需要率のデータを用いて上記必要となる低圧動力盤の電気的仕様を特定するようにしてもよい。より実際的な検討を行うことができるようになる。
【０００９】
さらに、費用データ格納部を参照して、第１乃至第３の対応策のうち実施可能な対応策について想定される費用を算出し、ユーザに提示するステップをさらに含むようにしても良い。このようにすれば、費用の点を考慮して対応策の採否を決定することも可能となる。
【発明の効果】
【００１０】
本発明によれば、電気機器を追加的に導入することによって必要となる受電設備の改修についてより簡単に検討することができるようになる。
【発明を実施するための最良の形態】
【００１１】
図１に本発明の一実施の形態に係る電源容量検討装置１００の機能ブロック図を示す。本実施の形態における電源容量検討装置１００は、基礎データ入力部１と、一般事項データ格納部３と、空調計画データ格納部５と、既設高圧受電設備仕様データ格納部７と、ＭＯＤＥＬ１処理部９と、ＭＯＤＥＬ２処理部１１と、ＭＯＤＥＬ３処理部１３と、ＭＯＤＥＬ１処理結果データ格納部１５と、ＭＯＤＥＬ２処理結果データ格納部１７と、ＭＯＤＥＬ３処理結果データ格納部１９と、改修費用算出部２１と、改修費用データ格納部２３と、出力処理部３３とを有する。
【００１２】
基礎データ入力部１は、ユーザから一般的な事項のデータの入力を受け付けると一般事項データ格納部３に格納する。また、ユーザから空調計画（空調機器の導入の場合）のデータの入力を受け付けると空調計画データ格納部５に格納する。さらに、ユーザから既設高圧受電設備の仕様データの入力を受け付けると既存高圧受電設備仕様データ格納部７に格納する。ＭＯＤＥＬ１処理部９は、一般事項データ格納部３と空調計画データ格納部５と既設高圧受電設備仕様データ格納部７とに格納されたデータを読み出し、予め定められたＭＯＤＥＬ１についてのデータを生成し、ＭＯＤＥＬ１処理結果データ格納部１５に格納する。ＭＯＤＥＬ２処理部１１は、一般事項データ格納部３と空調計画データ格納部５と既設高圧受電設備仕様データ格納部７とに格納されたデータを読み出し、予め定められたＭＯＤＥＬ２についてのデータを生成し、ＭＯＤＥＬ２処理結果データ格納部１７に格納する。ＭＯＤＥＬ３処理部１３は、一般事項データ格納部３と空調計画データ格納部５と既設高圧受電設備仕様データ格納部７とに格納されたデータを読み出し、予め定められたＭＯＤＥＬ３についてのデータを生成し、ＭＯＤＥＬ３処理結果データ格納部１９に格納する。改修費用算出部２１は、ＭＯＤＥＬ１処理結果データ格納部１５とＭＯＤＥＬ２処理結果データ格納部１７とＭＯＤＥＬ３処理結果データ格納部１９とに格納されたデータなどを用いて、各ＭＯＤＥＬについての改修費用を算出し、改修費用データ格納部２３に格納する。出力処理部３３は、改修費用データ格納部２３とＭＯＤＥＬ１処理結果データ格納部１５とＭＯＤＥＬ２処理結果データ格納部１７とＭＯＤＥＬ３処理結果データ格納部１９とに格納されたデータなどを、表示装置などの出力装置に出力する。
【００１３】
次に、電源容量検討装置１００による処理について図２乃至図２４を用いて説明する。まず、基礎データ入力部１は、（１）検討案件名、顧客名、所在地、人員数、顧客担当者名、棟などの区分、回数、室数など、（２）作成者の所属、氏名など、（３）既設受電設備の盤の有無及び周辺環境など、（４）参考データの入力をユーザ（作成者）に対して促し、ユーザからの入力を受け付け、一般事項データ格納部３に格納する（ステップＳ１）。
【００１４】
基礎データ入力部１は、例えば図３に示すような入力画面を表示装置に表示させる。図３の入力画面は、顧客についてのデータを入力するための画面である。図３の入力画面には、学校と店舗／事務所等とのいずれかである建物種別の選択欄と、案件番号の入力欄、顧客名の入力欄、所在地入力欄、顧客担当者名入力欄、電話番号入力欄、及びメールアドレス入力欄が含まれる。また、ここでは学校の例なので、各棟について、棟名称、地上階数、地下階数、一般教室数、特殊教室数、その他室数、及び延べ床面積の各入力欄も設けられている。なお、一般教室数計、特殊教室数計、その他室数計、総面積については、各入力欄の値が合計されて表示される。また、生徒数の入力欄も設けられている。図１の入力画面中、必須の入力項目は存在しない。入力データ及び算出データについては、一般事項データ格納部３に格納する。
【００１５】
また、基礎データ入力部１は、例えば図４に示すような入力画面を表示装置に表示させる。図４の入力画面は、それぞれの盤の有無、寸法、搬入経路関連及び離隔距離を入力するための画面である。図４の入力画面には、列盤（分岐盤）を追加した場合の搬入経路の有無の入力欄と、受電設備と敷地境界、壁、塀などとの離隔距離Ｄの入力欄と、受電設備と左右の壁などとの離隔距離Ｗ１及びＷ２の入力欄と、受電設備の高さＨの入力欄と、受電設備の奥行きＤの入力欄と、受電設備全幅の入力欄と、高圧受電盤の幅入力欄と、コンデンサ盤の有無の入力欄と幅入力欄と、第１の低圧電灯盤の有無の入力欄と幅入力欄と、第２の低圧電灯盤の有無の入力欄と幅入力欄と、第３の低圧電灯盤の有無の入力欄と幅入力欄と、第１の低圧動力盤の有無の入力欄と幅入力欄と、第２の低圧動力盤の有無の入力欄と幅入力欄とが設けられている。高圧受電盤には主遮断器とＶＣＴ（計器用変成器）などが主に収容されているものである。コンデンサ盤には、コンデンサ（ＳＣ）と直列リアクトル（ＳＲ）、及びその保護機器が収容されているが、高圧受電盤と同じ函に含まれる場合もある。高圧受電盤と同じ函に含まれる場合には、コンデンサ盤は「無」ということになる。低圧電灯盤は単相変圧器が収容されている函である。低圧動力盤は三相変圧器が収容されている函である。
【００１６】
図４において列盤（分岐盤）を追加した場合の搬入経路の有無、各列盤の有無、離隔距離Ｗ１及びＷ２は、必須の入力項目である。入力データは一般事項データ格納部３に格納される。
【００１７】
さらに、基礎データ入力部１は、例えば図５に示すような入力画面を表示装置に表示させる。図５の入力画面は、作成者についてのデータを入力するための画面である。図５の入力画面には、支店支社の入力欄と、作成部門の入力欄と、作成日の入力欄と、作成グループの入力欄、作成者の入力欄と、電話番号の入力欄と、メールアドレスの入力欄とを含む。これらの入力項目の入力は任意である。入力データは一般事項データ格納部３に格納される。
【００１８】
また、基礎データ入力部１は、参考図、参考写真、コメントなどのデータの入力欄を有する画面を表示し、ユーザに入力させるようにする。但し、これらのデータの入力は任意である。
【００１９】
図２の説明に戻って、基礎データ入力部１は、（１）冷房設備など導入機器の同一機種（設備群）ごとのメーカ名、消費電力（ｋＷ）、力率、需要率及び台数など、（２）変圧器容量及び幹線の回線数などの入力をユーザ（作成者）に促し、ユーザからの入力を受け付け、空調計画データとして空調計画データ格納部５に格納する（ステップＳ３）。
【００２０】
基礎データ入力部１は、例えば図６に示すような入力画面を表示装置に表示させる。図６の入力画面は、導入機器のメーカ名などの一般事項と電気的仕様を入力するための画面である。図６の入力画面は、各設備群について、メーカ名、形式、機器能力等、消費電力（ｋＷ／台）、力率、ヒータ有無、ヒータ容量（ｋＷ）、台数、需要率の入力欄と、不等率の入力欄とを含む。本実施の形態では、実施設計ではなく、最小限の情報で電源増容量などを確認することを目的とするので、機器増設による全体容量をできるだけ簡便に入力させるため、設置場所を意識せず、同容量あるいは同一機種を設備群としてまとめるようにしている。
【００２１】
例えば、消費電力、力率、ヒータ容量、需要率、不等率などについては、候補を提示してユーザに選択させるようにしてもよい。また、ヘルプなどで入力値をガイドするようにしても良い。
【００２２】
例えば、消費電力については、空調の場合冷房時と暖房時とで異なるが大きい方の値で入力するようにガイドする。また、例えば４馬力であれば２．０５（ｋＷ／台）、５馬力であれば２．８０（ｋＷ／台）、６馬力であれば３．９０（ｋＷ／台）を目安として提示する。
【００２３】
力率については、５０Ｈｚであれば０．８５、６０Ｈｚであれば０．９５を目安として提示する。
【００２４】
ヒータ有無については補助ヒータの有無を選択して入力するように促す。
【００２５】
需要率については、最大利用能力を何％程度まで使うかの入力を促す。不明な場合には１００％を入力するように促す。
【００２６】
不等率については、最大需要電力のずれを考慮する係数（重畳率の逆数）で１．０以上の値の入力を促す。導入機器の消費電力のピークが同じであれば不等率は１．０であるが、ピークがずれる場合には１．０より大きくなる。
【００２７】
図６において各設備群の設備容量及び消費電力計については以下の式で計算される。
設備容量（ｋＶＡ）＝（（消費電力（ｋＷ）／力率）＋ヒータ容量（ヒータありの場合のみ））×台数×（全体）需要率
但し、需要率＝設備群単位での最大需要電力（ｋＶＡ）／設備群の設備容量（ｋＶＡ）
消費電力計（ｋＷ）＝（消費電力（ｋＷ）＋ヒータ容量）×台数
【００２８】
さらに、図６において総設備容量（ｋＶＡ）と総消費電力（ｋＷ）は以下のように計算される。
総設備容量（ｋＶＡ）＝Σ（設備容量）／不等率
総消費電力（ｋＷ）＝Σ（消費電力計）
【００２９】
図６における入力項目において必須の項目は、消費電力、力率、ヒータ容量、台数、需要率、不等率である。入力データ及び算出データは、空調計画データ格納部５に格納される。
【００３０】
さらに、基礎データ入力部１は、例えば図７に示すような画面を表示装置に表示させる。図７の画面は、計画に必要な変圧器容量と幹線仕様を検討するための画面である。図７の画面例では、所要変圧器容量についての表示欄と、幹線仕様の検討欄とが含まれる。
【００３１】
変圧器容量は、負荷の総設備容量に将来容量を加えた値とするだけでなく、厳密には始動時の突入電流による電圧降下が一定以下（一般には１５％程度）になるように配慮する必要がある。しかし、ここでは簡易に算出するため、１．２を裕度係数に採用して、総設備容量に２０％の余裕を持たせた容量を所要動力容量として算出し、所要変圧器容量の表示欄に表示する。
【００３２】
なお、以下で取り扱うＭＯＤＥＬ１の場合にはこの所要動力容量を、増容量分としてそのまま採用できるが、以下で取り扱うＭＯＤＥＬ２及びＭＯＤＥＬ３で取り扱う変圧器容量は、こうして得られた所要動力容量を基に、以下の値が直近上位となるような規格値となる。すなわち、２０，３０，５０，７５，１００，１５０，２００，３００，５００（ｋＶＡ）である。このように得られた規格値が、所要変圧器容量の表示欄の下欄に表示される。
【００３３】
また、実施設計における幹線仕様（高圧受電設備の二次側低圧幹線ＭＣＢと幹線電路種類）の決定は非常に難しく、ある程度の電気設備の知識が必要となる。そこで、本実施の形態では、幹線の規模（ＭＣＢの仕様と電線種別、太さ及び保護方法）を計画することを最優先とし、導入設備の総消費電力全体を、複数の同容量な幹線により供給することとする。その場合、１つの幹線容量を最大どのくらいにするかを必須の入力項目とすればよい。すなわち、「１系統あたりの容量」の入力欄が必須の入力欄とされる。幹線系統数と幹線設定最大電流値は、「１系統あたりの容量」から算出され、表示される。
【００３４】
幹線ＭＣＢの仕様と数量については、公知の内線規定ＪＥＡＣ８００１−２０００  ３７０５−４表の三相３線式２００Ｖ動力（電動機）幹線」に従って特定し、表示する。
【００３５】
また、幹線太さの最小値についても、６００ＶＣＶ３Ｃケーブル配線：基底温度３０℃を条件として公知の内線規定ＪＥＡＣ８００１−２０００  ３７０５−４表から特定し、表示する。
【００３６】
幹線許容こう長についても、２％と３％における値に限定して算出し、表示する。
【００３７】
入力データ及び表示データは空調計画データ格納部５に格納される。
【００３８】
図２の説明に戻って、基礎データ入力部１は、（１）ＶＣＴ、ＣＴ、電流計など改修の可能性がある機器の仕様、（２）保護機器の内容などをユーザ（作成者）に促し、ユーザからの入力を受け、受け付けたデータを既設高圧受電設備仕様データ格納部７に格納する（ステップＳ５）。
【００３９】
基礎データ入力部１は、例えば図８に示すような入力画面を表示装置に表示させる。図８の入力画面は、既設高圧受電設備の標準結線図に対して入力を行うための画面である。標準的な受電設備を前提としており、高圧受電盤、コンデンサ盤、第１の低圧電灯盤、第２の低圧電灯盤、第３の低圧電灯盤、第１の低圧動力盤、第２の低圧動力盤についてデータを入力するようになっている。
【００４０】
高圧受電盤については、ＶＣＴの容量（Ａ）、主遮断器種別（ＣＢ，ＬＢＳなど）、ヒューズ定格（Ａ）（ＣＢの場合にはヒューズは０（Ａ））、電流計（Ａ）及び電圧計（ｋＷ）の最大計測値、ＣＴ比の各入力欄が設けられている。
【００４１】
コンデンサ盤については、保護機器の種別（ＣＢ，ＬＢＳ，ＰＣなど）、保護機器のヒューズ容量（Ａ）、直列リアクトル（ＳＲ）容量、コンデンサ容量（ＳＣ）の各入力欄が設けられている。
【００４２】
第１乃至第３の低圧電灯盤については、必須の入力項目である容量（ｋＶＡ）の入力欄が設けられている。変圧器がない場合には０を入力する。
【００４３】
第１及び第２の低圧動力盤については、保護機器の種別（ＬＢＳ，ＰＣ，ＣＢ）、ヒューズ定格（Ａ）（ＣＢの場合にはヒューズは０（Ａ））、必須の入力項目である変圧器容量（ｋＶＡ）、ＣＴ比、電流計（Ａ）の最大測定値の各入力欄が設けられている。入力データは、既設高圧受電設備仕様データ格納部７に格納される。
【００４４】
また、基礎データ入力部１は、例えば図９に示すような画面を表示装置に表示させる。図９の画面は、既設変圧器容量と、契約電力関連事項とを表示する。既設変圧器容量については、図８の入力から、既設動力変圧器（Ｔｒ）容量計と既設電灯変圧器（Ｔｒ）容量計とを取得し、既設変圧器容量合計を算出し、表示する。また、既設変圧器容量合計から以下の規則に従って既設想定契約電力を算出する。すなわち、既設変圧器容量合計の最初の５０ｋＷにつき８０％、次の５０ｋＷにつき７０％、次の２００ｋＷにつき６０％、次の３００ｋＷにつき５０％、６００ｋＷを超える部分につき４０％である。また、改修前実契約電力についてはユーザが入力する。
【００４５】
さらに、改修後想定契約電力については、既設変圧器容量合計と増設される容量との和について上で述べた規則に従って、改修後想定契約電力を算出し、表示する。これに応じて、ユーザは改修後実契約電力を入力する。
【００４６】
なお、図９において契約電力表示方法を選択するようになっているが、「計算値」を選択すると、想定契約電力を算出し、「実契約電力」を選択すると、実契約電力の入力を行うモードとなる。「表示しない」を選択すると、図９の入力及び表示欄などの表示を行わないようになる。
【００４７】
入力データ及び計算データは、既設高圧受電設備仕様データ格納部７に格納される。
【００４８】
図２の説明に戻って、ＭＯＤＥＬ１処理部９は、ＭＯＤＥＬ１についての処理を行い、処理結果をＭＯＤＥＬ１処理結果データ格納部１５に格納する（ステップＳ７）。
【００４９】
ＭＯＤＥＬ１は、低圧動力盤を更新するケースである。ＭＯＤＥＬ１では、以下で示す条件１及び条件２を同時に満たす必要がある。
【００５０】
ここで条件１は、「低圧動力盤に図７の画面で検討した増設用の幹線ＭＣＢ及び導入機器（例えば蓄熱調整契約用機器（ＣＴ，計量部分））の設置スペースがあること」である。また、条件２は、「低圧動力盤に今回の増容量した変圧器が収まること」である。
【００５１】
例えばＭＯＤＥＬ１処理部９は、図１０に示すような画面を表示装置に表示させる。図１０の画面には、検討概要の欄と、第１の低圧動力盤更新可否の検討欄と、第２の低圧動力盤更新可否の検討欄とを含む。
【００５２】
検討概要の欄には、図７において特定した幹線ＭＣＢの仕様のデータの表示欄と、幹線ＭＣＢの本体寸法の参考値の表示欄とを含む。
【００５３】
第１の低圧動力盤更新可否の検討欄においては、条件１の検討として、第１低圧動力盤の増設裕度有無についての入力欄が設けられている。この入力欄への入力は必須である。これは、既設盤の目視による確認結果を入力する。例えば４台のＭＣＢ（２２５ＡＦ／１２５ＡＴ）が必要な場合、既設に予備ＭＣＢ（２２５ＡＦ／○○ＡＴ）があるならば３台分のスペースがあるか確認しておく。
【００５４】
また、第１の低圧動力盤の条件２の検討として、１）図８で特定された第１低圧動力盤における既設変圧器容量の表示欄と、実負荷（ｋＶＡ）算出のための変圧器需要率の入力欄と、算出された実負荷の表示欄と、２）図７で特定された機器導入に必要な容量の表示欄と、３）ＭＯＤＥＬ１に必要な容量として（既設変圧器容量＋機器導入に必要な容量）の表示欄と、４）ＭＯＤＥＬ１に必要な変圧器容量と収容に必要な幅Ｗの表示欄と、図４で特定された既設動力盤の幅の表示欄と、ＭＯＤＥＬ１における変圧器の収容に必要な幅Ｗと既設動力盤の幅との比較に基づく、第１の既設動力盤の更新の可否（可能性あり／困難）の表示欄とを含む。変圧器需要率が必須の入力項目である。一般的には８０％以上とする。
【００５５】
ＭＯＤＥＬ１における変圧器容量の収容に必要な幅については、例えば図１１に示すようなテーブルに基づき特定する。図１１は、三相３線式６６００Ｖ／２１０Ｖの油入変圧器を収容する低圧動力盤の標準的な大きさなどを表すテーブルである。すなわち、変圧器容量が、７５ｋＶＡ以下、１００ｋＶＡ以下、１５０ｋＶＡ以下、２００ｋＶＡ以下、３００ｋＶＡ以下、５００ｋＶＡ以下の場合における、幅Ｗ、奥行Ｄ、高さＨ、重量とを特定することができるようになっている。
【００５６】
第２の低圧動力盤更新可否の検討欄においては、条件１の検討として、第２低圧動力盤の増設裕度有無についての入力欄が設けられている。この入力欄への入力は必須である。また、条件２の検討として、１）図８で特定された第２低圧動力盤における既設変圧器容量の表示欄と、実負荷（ｋＶＡ）算出のための変圧器需要率の入力欄と、算出された実負荷の表示欄と、２）図７で特定された機器導入に必要な容量の表示欄と、３）ＭＯＤＥＬ１に必要な容量として（既設変圧器容量＋機器導入に必要な容量）の表示欄と、４）ＭＯＤＥＬ１に必要な変圧器容量と収容に必要な幅Ｗの表示欄と、図４で特定された既設動力盤の幅の表示欄と、ＭＯＤＥＬ１における変圧器の収容に必要な幅Ｗと既設動力盤の幅との比較に基づく、第２の既設動力盤の更新の可否（可能性あり／困難）の表示欄とを含む。変圧器需要率が必須の入力項目である。
【００５７】
図１０の例では、第１の低圧動力盤の更新は難しいが、第２の低圧動力盤の更新は可能性があることが分かる。
【００５８】
ここで表示及び算出されたデータなどは、ＭＯＤＥＬ１処理結果データ格納部１５に格納する。
【００５９】
図２の説明に戻って、ＭＯＤＥＬ２処理部１１は、ＭＯＤＥＬ２についての処理を行い、処理結果をＭＯＤＥＬ２処理結果データ格納部１７に格納する（ステップＳ９）。
【００６０】
ＭＯＤＥＬ２は、既設高圧受電設備に低圧動力盤を隣接列盤として新設するケースである。
【００６１】
ＭＯＤＥＬ２処理部１１は、図１２に示すような画面を表示装置に表示させる。図１２の画面には、検討概要の表示欄と、新設盤の変圧器容量と列盤の大きさの表示欄と、盤設置のためのスペース検討の表示欄と、盤新設の参考イメージの表示欄とが含まれる。
【００６２】
検討概要の表示欄には、盤新設のための２つの条件が表示されている。本実施の形態では、条件１は「既設高圧受電設備の横側に設置するためのスペースがあり、設置後に盤と近傍の塀などどの離隔が確保できること」であり、条件２は「列盤を含む高圧受電設備の搬入路（メンテナンススペースを含む）が確保されること」である。
【００６３】
新設盤の変圧器容量と列盤の大きさの表示欄には、図７で特定された列盤を新設する場合に必要となる変圧器容量の表示欄と、図１１から特定される新設列盤のサイズの表示欄と、モールド変圧器を使用した場合におけるサイズの表示欄とを含む。なお、モールド変圧器のサイズは、例えば図１３に示すようなテーブルを用いて特定する。図１３の構成は図１１とほぼ同じであり、変圧器容量からサイズが特定されるようになっている。
【００６４】
また、盤設置のためのスペース検討の表示欄には、条件１の検討として、新設列盤の幅表示欄と、高圧受電盤側離隔（Ｗ１−新設列盤の幅）の表示欄とそれに対するコメント表示欄と、低圧動力盤側離隔（Ｗ２−新設列盤の幅）の表示欄とそれに対応するコメント表示欄と、条件２の検討として、図４で入力された搬入経路の有無の表示欄と、それに対するコメント表示欄と、結論として列盤として新設の可能性の有無の表示欄とを含む。
【００６５】
条件１に含まれる離隔は、本実施の形態では２００ｍｍ以上あれば問題が無く、０乃至２００ｍｍ未満でも可能であるが注意が必要となる。従って、コメント表示欄については、離隔が２００ｍｍ以上であれば「設置可能」が特定されて表示され、０乃至２００ｍｍ未満であれば「設置に注意が必要」が特定されて表示される。
【００６６】
列盤として新設の可能性は、条件１で設置可能と判断され、条件２で搬入可能であると判断されると、可能性ありと判断される。いずれかが不可となると困難と判断される。
【００６７】
盤新設の参考イメージ表示欄には、図４で入力されたデータを基に、離隔Ｗ１と離隔Ｗ２のうち大きい方の離隔Ｗ２（第２低圧動力盤）側に増設低圧動力盤を付加した図を表示している。増設低圧動力盤の容量は上で特定された値（１５０）が表示され、増設低圧動力盤の幅も上で特定された値（９００）が表示されている。さらに、（離隔Ｗ２−新設低圧動力盤の幅）（＝１５０）も算出されて表示されている。
【００６８】
ここで算出及び表示されたデータは、ＭＯＤＥＬ２処理結果データ格納部１７に格納される。
【００６９】
図２の説明に戻って、ＭＯＤＥＬ３処理部１３は、ＭＯＤＥＬ３についての処理を行い、処理結果をＭＯＤＥＬ３処理結果データ格納部１９に格納する（ステップＳ１１）。
【００７０】
ＭＯＤＥＬ３は、既設高圧受電設備とは別置盤（離れた場所に低圧動力盤を設置）にして新設するケースである。別置盤による新設のためには、列盤として高圧分岐盤の設置が行われるようになる。
【００７１】
ＭＯＤＥＬ３処理部１３は、図１４に示すような画面を表示装置に表示させる。図１４の画面には、検討概要の表示欄と、別置盤の変圧器容量と別置盤の大きさの表示欄と、高圧分岐盤設置のためのスペース検討の表示欄とを含む。
【００７２】
検討概要の表示欄においては、ＭＯＤＥＬ３に必要な条件は２つあり、条件１は高圧分岐盤を「既設高圧受電設備の横側に設置するためのスペースがあり、設置後に盤と近傍の塀などとの離隔が確保できること」であり、条件２は「別置盤を含む高圧受電設備の搬入経路（メンテナンススペースを含む）が確保されること」である。なお、別置盤はＭＯＤＥＬ２の列盤と同じ大きさになるが、既設高圧受電設備から別置盤まで高圧母線を延長する必要があり、一般的には高圧遮断器を収容した盤（高圧分岐盤）が設置されるようになる。なお、本実施の形態では、別置盤の設置場所は不定のため、別置盤の検討自体はここでは行わないものとする。
【００７３】
別置盤の変圧器容量と別盤の大きさの表示欄には、図１２と同様であることが示されている。
【００７４】
高圧分岐盤設置のためのスペース検討の表示欄においては、条件１の検討として、高圧分岐盤の幅が８００ｍｍであることが示されており、離隔Ｗ１と高圧分岐盤の幅の差である高圧受電盤側離隔の表示欄及びそれに対するコメント表示欄と、離隔Ｗ２と高圧分岐盤の幅の差である低圧動力盤側離隔の表示欄及びそれに対するコメント表示欄とが設けられている。コメントの表示基準は図１２で説明したものと同様である。条件２の検討として、図４において入力された搬入経路の有無の表示欄と、それに対するコメント表示欄とが含まれる。
【００７５】
そして、条件１及び条件２から別置盤による新設の可能性についての表示欄に、ＭＯＤＥＬ３の可能性についてのコメントが表示されるようになっている。条件１及び条件２がいずれも可能であるとの判断であれば、可能性ありとされる。
【００７６】
ここで算出及び表示されたデータは、ＭＯＤＥＬ３処理結果データ格納部１９に格納される。
【００７７】
図２の説明に戻って、改修費用算出部２１は、ＭＯＤＥＬ１処理結果データ格納部１５とＭＯＤＥＬ２処理結果データ格納部１７とＭＯＤＥＬ３処理結果データ格納部１９とに格納されたデータを用いて各ＭＯＤＥＬにおける改修費用を算出し、改修費用データ格納部２３に格納する（ステップＳ１３）。図示していないが、空調計画データ格納部５及び既設高圧受電設備仕様データ格納部７からもデータを読み出し、当該データを用いて処理を行っている。
【００７８】
改修費用算出部２１は、各ＭＯＤＥＬにおける改修費用算出の前提として、例えばユーザからの要求に応じて図１５及び図１６の複合単価設定画面を表示装置に表示させ、必要なデータの設定入力を行わせる。図１５には、共通設定項目と、高圧受電盤関連項目（各ＭＯＤＥＬ共通）とに関連する項目の入力欄が含まれている。図１６には、ＭＯＤＥＬ１関連項目（低圧動力盤）と、ＭＯＤＥＬ２関連項目（列盤）と、ＭＯＤＥＬ３関連項目（高圧分岐盤）とに関連する項目の入力欄が含まれている。複合単価は、（資材費＋（資材費×雑材率）＋（労務人日×電工費））×（１＋経費率）×実勢掛率で算出される。電工費は、電気工事士人日の金額となる。
【００７９】
高圧受電盤関連項目については、資材費、労務人日を入力する。この資材費、労務人日は既設改修部品（部分）の撤去処分費、既設への接続・設置費など全てを計上する。但し、受ＣＢ＿ＯＣＲ設定変更複合単価にあっては、資材費を０とする。また、高圧受電盤取替費の設定では既設高圧受電盤撤去処分費、取り替える新設高圧受電盤本体価格、既設受電設備との接続費用、設置労務人日など一切を合計した金額を計上する。
【００８０】
ＭＯＤＥＬ１関連費用（低圧動力盤）については、各項目で、改修に関する一式、すなわち既設機器の撤去・処分費、新設機器の設置に関する電線接続機器類その他一式を含むものとする。例えば、低Ｔｒ変更複合単価には、既設変圧器撤去及び処分費、新変圧器設置費（設置用ボルト、加工費など一式）、母線への接続電線類及び加工費一式を含むものとする。
【００８１】
ＭＯＤＥＬ２関連項目（列盤）については、列盤に収容される盤本体の列盤の基本単価を設定し、これに変圧器の資材費を加算することで計算される。すなわち、列盤の複合単価＝列盤の基本単価＋変圧器資材費となる。また、この列盤基本単価には、（１）既設盤との接続に関する改修費一式、（２）列盤の設置費用一式、（３）列盤の見積もりをとった場合には、概算のレイアウトで見積額となるよう列盤の基本単価の設定を調整すること、を考慮する必要がある。
【００８２】
ＭＯＤＥＬ３関連項目（高圧分岐盤）については、既設のキュービクルの列盤として別置盤に高圧母線を送出接続する高圧分岐盤の単価、別置盤本体の価格としての別置盤基本単価及び高圧分岐盤から別置盤までの高圧幹線の単価である。別置盤の基本単価は設置に関する一切を含むように設定する。概算レイアウトの別置盤価格は、別置盤基本単価＋変圧器資材費として算出される。高圧分岐盤の単価は既設キュービクルに列盤として接続する改修費一式を含むようにする必要がある。高圧幹線はｍあたり（単位長）の単価を入力する。また、これには適切な太さのＣＶＴケーブルなどの他、配管、ケーブルラック、地中配管の場合ではハンドホール、掘削費など一式を考慮した単価とする。高圧幹線配線費は、高圧幹線のｍ単価×こう長となる。
【００８３】
図１５及び図１６において設定されたデータ（デフォルト・データを含む）は、改修費用データ格納部２３に格納される。
【００８４】
また、改修費用算出部２１は、図１７及び図１８に示すようなデータを前提として、各ＭＯＤＥＬにおける数量などを自動設定し、図１５及び図１６において設定されている複合単価などに基づき改修費用を算出する。
【００８５】
図１７には、各ＭＯＤＥＬ共通の参考事項、すなわち、変圧器容量合計、受電電流、受電＿保護機器、受電＿ＣＴ、受電＿電流計について、改修前と改修後のデータが含まれている。また、高圧受電盤主遮断器改修要否についても含まれる。これらのデータは基本的には、空調計画データ格納部５及び既設高圧受電設備仕様データ格納部７などから取得されたデータである。
【００８６】
図１８には、ＭＯＤＥＬ１参考事項、すなわち、第１低圧動力盤の更新可能性と、第１低圧動力盤の更新において改修費用に関連するデータ項目と、第２低圧動力盤の更新可能性と、第２低圧動力盤の更新において改修費用に関連するデータ項目とが含まれている。
【００８７】
改修費用算出部２１は、図１５乃至図１８に示されたデータを用いて、図１９乃至図２１のような改修費用を算出し、ユーザ（作成者）に提示する。
【００８８】
図１９には、各ＭＯＤＥＬ共通の改修費用内訳（高圧受電盤改修費）が示されている。また、高圧受電盤改修費説明欄も設けられている。図１９の例では、「主遮断器のＣＢ変更による全面変更の可能性があるため」という説明が選択され、表示されている。
【００８９】
図２０には、ＭＯＤＥＬ１の改修費内訳（高圧受電盤改修費を除く）が示されている。ここでは、第１低圧動力盤についての費用と、第２低圧動力盤についての費用とが分けて示されている。なお、第１低圧動力盤の改修は不可能なので、第１低圧動力盤改修費は０となり、説明として「第１低圧動力盤の更新は困難である」が選択されて、表示されている。
【００９０】
図２１には、ＭＯＤＥＬ２改修費内訳（高圧受電盤改修費を除く）、ＭＯＤＥＬ３改修費内訳（高圧受電盤改修費を除く）、各ＭＯＤＥＬの改修費総括とが示されている。ＭＯＤＥＬ２改修費内訳は、列盤の変圧器容量によって特定される。また、ＭＯＤＥＬ３改修費内訳は、別置盤の変圧器容量、ＭＯＤＥＬ３高圧幹線こう長とから特定される。各ＭＯＤＥＬの改修費総括は、各ＭＯＤＥＬの改修費に高圧受電盤改修費を加算した値が、各ＭＯＤＥＬ（ＭＯＤＥＬ１については第１及び第２ケース）について算出され、提示される。
【００９１】
ユーザは、図１５乃至図２１において必要に応じて数値の修正を行って、改修費用を調整することも可能である。
【００９２】
図１５乃至図２１に示されたデータは、改修費用データ格納部２３に格納される。
【００９３】
図２の説明に戻って、出力処理部３３は、ＭＯＤＥＬ１処理結果データ格納部１５、ＭＯＤＥＬ２処理結果データ格納部１７、ＭＯＤＥＬ３処理結果データ格納部１９、改修費用データ格納部２３などのデータを読み出し、ユーザに処理結果を表示装置に提示する（ステップＳ１９）。そして、ユーザからの指示に応じて、出力処理部３３は、資料出力処理を実施する（ステップＳ２１）。すなわち、例えば図２２乃至図２４に示すような検討書をプリンタなどに出力する。検討書は、基本的に入力画面などにおいて入力されたデータから構成される。
【００９４】
このようにすることにより、ユーザは最低限の入力を行うことにより、新たな機器（例えば空調機器）を導入する際に必要となる電力設備について３つのパターン（ＭＯＤＥＬ）に分けて検討することができ、顧客に対して検討結果を提示することができるようになる。
【００９５】
このような３つのＭＯＤＥＬを比較検討できるようにすることにより、顧客に対して費用対効果など機器導入のための前提データを提示することができる。顧客は、費用その他の観点から、いずれのＭＯＤＥＬを用いるのか判断することができる。
【００９６】
以上本発明の一実施の形態を説明したが、本発明はこれに限定されるものではない。例えば、図１に示した電源容量検討装置１００は、１台のコンピュータ又は専用装置で実装される場合もあれば、複数台のコンピュータにより実装される場合もある。
【００９７】
さらに、図１に示した機能ブロックは、必ずしも実際のプログラムモジュールに対応するものではない。
【００９８】
なお、電源容量検討装置１００はコンピュータ装置であって、図２５に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【図面の簡単な説明】
【００９９】
【図１】本発明の一実施の形態に係る電源容量検討装置の機能ブロック図である。
【図２】電源容量検討装置による処理のフローを示す図である。
【図３】一般事項データの入力画面の一例である。
【図４】一般事項データの第２の入力画面の一例である。
【図５】一般事項データの第３の入力画面の一例である。
【図６】空調計画データの入力画面の一例である。
【図７】空調計画データの第２の入力画面の一例である。
【図８】既設高圧受電設備仕様データの入力画面の一例を示す図である。
【図９】既設高圧受電設備仕様データの第２の入力画面の一例を示す図である。
【図１０】ＭＯＤＥＬ１検討画面の一例を示す図である。
【図１１】第１のサイズテーブルの一例を示す図である。
【図１２】ＭＯＤＥＬ２検討画面の一例を示す図である。
【図１３】第２のサイズテーブルの一例を示す図である。
【図１４】ＭＯＤＥＬ３検討画面の一例を示す図である。
【図１５】複合単価内訳設定画面の一部を示す図である。
【図１６】複合単価内訳設定画面の一部を示す図である。
【図１７】各ＭＯＤＥＬ共通参考事項の設定画面の一例を示す図である。
【図１８】ＭＯＤＥＬ１参考事項の設定画面の一例を示す図である。
【図１９】各ＭＯＤＥＬ共通改修費内訳設定画面の一例を示す図である。
【図２０】ＭＯＤＥＬ１改修費内訳設定画面の一例を示す図である。
【図２１】ＭＯＤＥＬ２改修費内訳、ＭＯＤＥＬ３改修費内訳、各ＭＯＤＥＬの改修費総括の各設定画面の一例を示す図である。
【図２２】検討書の一例（部分）を示す図である。
【図２３】検討書の一例（部分）を示す図である。
【図２４】検討書の一例（部分）を示す図である。
【図２５】コンピュータの機能ブロック図である。
【符号の説明】
【０１００】
１  基礎データ入力部    ３  一般事項データ格納部    ５  空調計画データ格納部
７  既設高圧受電設備仕様データ格納部    ９  ＭＯＤＥＬ１処理部
１１  ＭＯＤＥＬ２処理部    １３  ＭＯＤＥＬ３処理部
１５  ＭＯＤＥＬ１処理結果データ格納部    １７  ＭＯＤＥＬ２処理結果データ格納部
１９  ＭＯＤＥＬ３処理結果データ格納部    ２１  改修費用算出部
２３  改修費用データ格納部    ３３  出力処理部
【図１】
2006268491.tif 000003
【図２】
2006268491.tif 000004
【図３】
2006268491.tif 000005
【図４】
2006268491.tif 000006
【図５】
2006268491.tif 000007
【図６】
2006268491.tif 000008
【図７】
2006268491.tif 000009
【図８】
2006268491.tif 000010
【図９】
2006268491.tif 000011
【図１０】
2006268491.tif 000012
【図１１】
2006268491.tif 000013
【図１２】
2006268491.tif 000014
【図１３】
2006268491.tif 000015
【図１４】
2006268491.tif 000016
【図１５】
2006268491.tif 000017
【図１６】
2006268491.tif 000018
【図１７】
2006268491.tif 000019
【図１８】
2006268491.tif 000020
【図１９】
2006268491.tif 000021
【図２０】
2006268491.tif 000022
【図２１】
2006268491.tif 000023
【図２２】
2006268491.tif 000024
【図２３】
2006268491.tif 000025
【図２４】
2006268491.tif 000026
【図２５】
2006268491.tif 000027